(57)【要約】 【課題】  本発明は、カットアウト装置を間接活線工法でミスなく接地することができるようにして、安全な接地作業を実現すること。【解決手段】  箱型のカットアウト装置１０の本体部１１を蓋体部に代わって蓋をする蓋体ダミー２２の、導通刃２６を介して負荷接続部１４のみに導通する端子２１に雌ネジ２１ａを刻設する一方、この蓋体ダミー２２を取り付ける接地短絡器具３０の接続棒３１の先端にはその雌ネジ２１ａに螺合させる雄ネジ３２ａを立設した端子接続部３２を設けるとともに、その接続棒３１の後端には絶縁操作棒の先端に取付可能なジョイントを設ける。【選択図】      図７
2006114231.tif 000002
【特許請求の範囲】
【請求項１】
商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該導通部に代えて当該導通部からヒューズを外した非導通部を取り付けた状態で負荷接続部を接地させる接地短絡器具であって、
非導通部の外面に配置されて負荷接続部に導通する端子部に接続する端子接続部と、蓄積されている電荷を逃がすために接地する接地部と、これら端子接続部および接地部の間を導通させるケーブルと、を備えて、
端子接続部は、長尺な絶縁棒の先端に取り付ける取付部が基端側に配置されている器具本体の先端側に配設されて、該取付部に対する姿勢が固定されていることを特徴とする接地短絡器具。
【請求項２】
商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該負荷接続部を接地短絡器具を介して接地させる際に導通部に代えて取り付ける接地用部品であって、
導通部からヒューズを外した非導通部として構成されているとともに、電源接続部および負荷接続部との間を導通させる導通用部品の外面に配置されている導通端子部に接続不能な接地短絡器具の接続部を接続可能に設計されて該負荷接続部に導通する接地用端子部が、外面に配置されていることを特徴とする接地用部品。
【請求項３】
商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該導通部に代えて取り付けて負荷接続部を接地させる接地短絡装置であって、
導通部からヒューズを外した非導通部としての接地用部品、および、該接地用部品の外面に配置されて負荷接続部に導通する端子部に接続して接地させる接地短絡器具から構成されて、
接地用部品は、電源接続部および負荷接続部との間を導通させる導通用部品の外面に配置されている導通端子部に接続不能な接地短絡器具の接続部を接続可能に設計されて該負荷接続部に導通する接地用端子部が外面に配置される一方、
接地短絡器具は、該接地用部品の接地用端子部に接続する端子接続部と、蓄積されている電荷を逃がすために接地する接地部と、これら端子接続部および接地部の間を導通させるケーブルと、を備えて、
該接地短絡器具の端子接続部は、長尺な絶縁棒の先端に取り付ける取付部が基端側に配置されている器具本体の先端側に配設されて、該取付部に対する姿勢が固定されていることを特徴とする接地短絡装置。
【請求項４】
商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該導通部を外した状態で負荷接続部を接地させる接地短絡器具であって、
負荷接続部に導通する端子部に接続する端子接続部と、蓄積されている電荷を逃がすために接地する接地部と、これら端子接続部および接地部の間を導通させるケーブルと、を備えて、
端子接続部は、長尺な絶縁棒の先端に取り付ける取付部が基端側に配置されている器具本体の先端側に配設されて、該取付部に対する姿勢が固定されていることを特徴とする接地短絡器具。
【発明の詳細な説明】
【技術分野】
【０００１】
本発明は、接地短絡器具、および接地用部品、並びに接地短絡装置に関し、詳しくは、商用電源から電力供給する負荷装置側の前段に配置されるカットアウト装置において、その負荷装置側の接地作業を信頼性高く安全に行い得るようにするものに関する。
【背景技術】
【０００２】
従来より、商用電源側電線には、負荷装置へ供給する電圧よりも高い電圧が供給されていることから、負荷装置に応じた電圧を供給する変圧器を設置するとともに、変圧器容量を超える過大な電流が変圧器に流れ込むことを防止するために、ヒューズを内蔵するカットアウト装置を変圧器の商用電源側に介在させることが行われている。
【０００３】
この種のカットアウト装置としては、例えば、図１０に示すように、箱型の本体部１１を蓋体部（導通部）１２により閉じる構造に設計されているものがある（例えば、特許文献１参照）。
【０００４】
このカットアウト装置１０の本体部１１は、商用電源側の電線から分岐させた電線Ｄ１を接続する電源接続部１３と、負荷装置側の変圧器からの電線Ｄ２を接続する負荷接続部１４と、が配設されている。また、カットアウト装置１０の蓋体部１２は、本体部１１側の接続部１３、１４に接続する導通刃１５、１６を備えるとともに、ヒューズ１８を介してこの導通刃１５、１６の間を導通させる所謂、ヒューズ筒１７が配設されている。このカットアウト装置１０は、蓋体部１２が本体部１１の一端側に回動可能に取り付けられており、その本体部１１の開放面側を閉じるように蓋体部１２を回動させることにより蓋をするのと同時に、接続部１３、１４に導通刃１５、１６を接続して、その電源接続部１３と負荷接続部１４との間をヒューズ筒１７を介して導通させることができる。
【０００５】
このような箱型のカットアウト装置１０は、図１０に図示するように蓋体部１２を回動させて本体部１１を開放する状態にして、図１１に示す蓋体ダミー（非導通部）２２を蓋体部１２に代えて本体部１１に取り付けることができる。この蓋体ダミー１２２は、本体部１１側の負荷接続部１４に接続する導通刃１２６と、本体部１１側に設けられている差込孔１９に差し込む絶縁材料からなるダミー刃１２８と、外面に配置されて負荷装置側の負荷接続部１４に接続する導通刃１２６に導通する端子（設置用端子部）１２１と、を備えている。
【０００６】
そして、この蓋体ダミー１２２の端子１２１には、図１２に示す接地短絡器具１１０を接続してカットアウト装置１０の負荷装置側を接地することができる。この接地短絡器具１１０は、その端子１２１に接続する端子接続部１１２と、地面に導通する接地導体に接続するクリップ（接地部）１１４と、これら端子接続部１１２およびクリップ１１４を導通接続するケーブル１１５と、を備えており、この接地短絡器具１１０は、複数本に分岐されたケーブル１１５ａ〜１１５ｃ毎の接続棒１１１の先端に端子接続部１１２が配設されている。
【０００７】
したがって、このカットアウト装置１０は、蓋体部（通常使用部品）１２に代えて、蓋体ダミー（接地用部品）１２２を本体部１１に取り付けた場合、この蓋体ダミー１２２では電源接続部１３に接続する導通刃１５やヒューズ筒１７が外されているので、変圧器などのメンテナンス等を行う際に、図１３に示すように、作業者は接続棒１１１を把持してカットアウト装置１０に取り付ける蓋体ダミー１２２の端子１２１に端子接続部１１２を接続することにより、変圧器などの負荷装置側を接地して安全を確保することができる。なお、図１２中の１１８は、ケーブル１１５とケーブル１１５ａ〜１１５ｃとの分岐箇所に連結された紐１１９の他端部に連結されたフックであり、このフック１１８を引っ掛けておくことにより不用意に接続棒１１１が落下してしまうことを防止している。
【０００８】
また、この箱型のカットアウト装置１０は、同様に、図１０に図示するように蓋体部１２を回動させて本体部１１を開放する状態にして、図１４（ａ）に示すように、課電端子（導通用部品）１３２を蓋体部１２に代えて本体部１１に取り付けることができる。この課電端子１３２は、本体部１１側の電源接続部１３と負荷接続部１４にそれぞれ導通接続する導通刃１３５、１３６同士も互いに導通しており、この導通刃１３５、１３６の間には、図１４（ｂ）に示すように、例えば、直流パルス電圧を印加するアタッチメント１３０の端子接続部１３１と接続する取付用の端子（導通端子部）１３２ａが固設されている。これにより、この箱型のカットアウト装置１０では、この課電端子１３２を介して、アタッチメント１３０から直流パルス電圧を印加して商用電源からの配電線における事故箇所を特定する、所謂、事故点探査などの作業を行うことができる。
【０００９】
さらに、この種のカットアウト装置としては、例えば、図１５に示すように円筒型の本体部５１を蓋体部（導通部）５２により閉じる構造に設計されているものがある（例えば、特許文献２、３参照）。
【００１０】
このカットアウト装置５０は、箱型のカットアウト装置１０と同様に、本体部５１側に、商用電源側の電線Ｄ１を接続する電源接続部５３と、負荷装置側の電線Ｄ２を接続する負荷接続部５４が配設されている。また、蓋体部５２は、先端側の導通肩部５５に、導通キャップ５６を頭部に取り付けたヒューズ筒５７をセットした状態で、本体部５１の円筒形状の底部に嵌め込んで開放端を閉止する形状に設計されている。このカットアウト装置５０は、本体部５１内に蓋体部５２を差し込むことにより蓋をするのと同時に、本体部５１側の電源接続部５３に導通する差込端子５３ａにヒューズ筒５７の導通キャップ５６を嵌め込んで導通接続するとともに、負荷装置側の負荷接続部５４に導通する受端子５４ａに導通肩部５５を圧接させて導通接続させることができ、そのヒューズ筒５７の不図示のヒューズを介してその電源接続部５３と負荷接続部５４とを導通させることができる。
【００１１】
この円筒型のカットアウト装置５０でも、箱型のカットアウト装置１０と同様に、変圧器などのメンテナンス等を行う際には、その負荷装置側を接地させることができるように設計されており、この円筒型のカットアウト装置５０では、図１６に示すように、蓋体部（通常使用部品）５２とヒューズ筒５７を外すことにより、そのヒューズ筒５７を介する電源接続部５３と負荷接続部５４との導通を解消した状態で、図１２に示す接地短絡器具１１０の接続棒１１１を差し込んでセットするだけで、負荷接続部５４の受端子５４ａに接地短絡器具１１０の端子接続部１１２の導通肩部を圧接させて導通接続させることができ、その負荷装置側を接地短絡器具１１０のクリップ１１４やケーブル１１５を介して接地して安全を確保することができる。
【００１２】
また、この円筒型のカットアウト装置５０は、蓋体部５２を本体部５１から外した状態にして、図１７（ａ）に示すように、課電端子１７２（導通用部品）を蓋体部５２に代えて、本体部５１内に差し込んで取り付けることができる。この課電端子１７２は、図１７（ｂ）に示すように、棒状の導電性材料により作製されて、その後端部には、アタッチメント１３０の端子接続部１３１に取付接続する端子（導通端子部）１７２ａが一体形成されており、本体部５１側の電源接続部５３の差込端子５３ａに先端部を嵌め込んで導通接続するとともに、後端部の端子１７２ａに取り付けたアタッチメント１３０の端子接続部１３１の導通肩部を負荷接続部５４の受端子５４ａに圧接させて導通接続させることができる。これにより、この円筒型のカットアウト装置５０でも、この課電端子１７２を介して、アタッチメント１３０から直流パルス電圧を印加して、所謂、事故点探査などの作業を行うことができる。
【特許文献１】特開平５−１０１７６７号公報
【特許文献２】実開平７−１４５３９号公報
【特許文献３】特開２００２−２７００８３号公報
【発明の開示】
【発明が解決しようとする課題】
【００１３】
ここで、電気の流れる電線などを取り扱う場合には、絶縁棒などのように絶縁性を確保する道具を介して各種の作業を行う間接活線工法が奨励されており、これらのカットアウト装置における作業も同様に間接活線工法を採用することが望まれている。
【００１４】
しかしながら、このような従来のカットアウト装置用の接地短絡器具１１０にあっては、接地する端子１２１に接続する接続棒１１１を手元で取り扱うしかなかったので、変圧器などに電荷が残留している場合には感電の危険がある。
【００１５】
また、この接地短絡器具１１０の接続棒１１１を接続する蓋体ダミー１２２の端子１２１には雄ネジが刻設されているのに対して、接地短絡器具１１０の接続棒１１１の端子接続部１１２には雌ねじが刻設されることにより、接続可能に設計されている。しかるに、課電端子１３２、１７２の端子１３２ａ、１７２ａは、この接地短絡器具１１０の接続棒１１１の端子接続部１１２に接続可能な雄ネジであり、アタッチメント１３０の端子接続部１３１を接続しなければならないところを、誤って接地短絡器具１１０の端子接続部１１２を接続して商用電源側を接地短絡させてしまう恐れがある。この場合には、商用電源からの電力が接地短絡器具１１０に流れ込んで感電事故が発生する可能性があった。
【００１６】
そこで、本発明は、カットアウト装置の接地作業を間接活線工法で行い得るようにして、安全にその接地作業を行うことのできる接地短絡器具や接地短絡装置を提供することを目的とする。また、そのカットアウト装置のミスのない接地を実現して、その接地作業の安全を確保することのできる接地用部品や接地短絡装置を提供することを目的とする。
【課題を解決するための手段】
【００１７】
上記課題を解決する接地短絡器具の発明は、商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該導通部に代えて当該導通部からヒューズを外した非導通部を取り付けた状態で負荷接続部を接地させる接地短絡器具であって、非導通部の外面に配置されて負荷接続部に導通する端子部に接続する端子接続部と、蓄積されている電荷を逃がすために接地する接地部と、これら端子接続部および接地部の間を導通させるケーブルと、を備えて、端子接続部は、長尺な絶縁棒の先端に取り付ける取付部が基端側に配置されている器具本体の先端側に配設されて、該取付部に対する姿勢が固定されていることを特徴とするものである。
【００１８】
この発明では、絶縁棒の先端に接地短絡器具を取り付けることができ、この接地短絡器具の端子接続部の位置を絶縁棒の操作に対して安定させることができる。これにより、その接地短絡器具の端子接続部に端子部が接続されている非導通部を、その絶縁棒を介してカットアウト装置にセットすることができる。したがって、カットアウト装置の負荷装置側を、所謂、間接活線工法により安全に接地して短絡することができる。
【００１９】
上記課題を解決する接地用部品の発明は、商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該負荷接続部を接地短絡器具を介して接地させる際に導通部に代えて取り付ける接地用部品であって、導通部からヒューズを外した非導通部として構成されているとともに、電源接続部および負荷接続部との間を導通させる導通用部品の外面に配置されている導通端子部に接続不能な接地短絡器具の接続部を接続可能に設計されて該負荷接続部に導通する接地用端子部が、外面に配置されていることを特徴とするのである。
【００２０】
この発明では、接地短絡器具の端子接続部は、導通用部品の導通端子部に接続することができず、カットアウト装置の非導通部の接地用端子部のみに接続することができる。したがって、不注意で導通端子部に接地短絡器具を接続してしまう恐れをなくすことができる。
【００２１】
上記課題を解決する接地短絡装置の発明は、商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該導通部に代えて取り付けて負荷接続部を接地させる接地短絡装置であって、導通部からヒューズを外した非導通部としての接地用部品、および、該接地用部品の外面に配置されて負荷接続部に導通する端子部に接続して接地させる接地短絡器具から構成されて、接地用部品は、電源接続部および負荷接続部との間を導通させる導通用部品の外面に配置されている導通端子部に接続不能な接地短絡器具の接続部を接続可能に設計されて該負荷接続部に導通する接地用端子部が外面に配置される一方、接地短絡器具は、該接地用部品の接地用端子部に接続する端子接続部と、蓄積されている電荷を逃がすために接地する接地部と、これら端子接続部および接地部の間を導通させるケーブルと、を備えて、該接地短絡器具の端子接続部は、長尺な絶縁棒の先端に取り付ける取付部が基端側に配置されている器具本体の先端側に配設されて、該取付部に対する姿勢が固定されていることを特徴とするものである。
【００２２】
この発明では、絶縁棒の先端に接地短絡器具を取り付けることができ、この接地短絡器具の端子接続部の位置を絶縁棒の操作に対して安定させて、その接地短絡器具の端子接続部に端子部が接続されている接地用部品を、その絶縁棒を介してカットアウト装置にセットすることができる。また、この接地短絡器具の端子接続部は、導通用部品の導通端子部に接続することができず、カットアウト装置の接地用部品の接地用端子部のみに接続することができる。したがって、カットアウト装置の導通用部品に不注意で接地短絡器具を接続してしまうことがなく、そのカットアウト装置の負荷装置側を、所謂、間接活線工法により安全に接地して短絡することができる。
【００２３】
上記課題を解決する接地短絡器具の発明は、商用電源からの電線を接続する電源接続部と、負荷装置側への電線を接続する負荷接続部と、これら電源接続部および負荷接続部との間にヒューズを介在させて導通状態にさせる導通部とを備えるカットアウト装置に、該導通部を外した状態で負荷接続部を接地させる接地短絡器具であって、負荷接続部に導通する端子部に接続する端子接続部と、蓄積されている電荷を逃がすために接地する接地部と、これら端子接続部および接地部の間を導通させるケーブルと、を備えて、端子接続部は、長尺な絶縁棒の先端に取り付ける取付部が基端側に配置されている器具本体の先端側に配設されて、該取付部に対する姿勢が固定されていることを特徴とするものである。
【００２４】
この発明では、絶縁棒の先端に接地短絡器具を取り付けることができ、この接地短絡器具の端子接続部の位置を絶縁棒の操作に対して安定させて、その端子接続部をカットアウト装置の負荷装置側の端子に直接、接続することができる。したがって、カットアウト装置の負荷装置側を、所謂、間接活線工法により安全に接地して短絡することができる。
【発明の効果】
【００２５】
このように、本発明によれば、絶縁棒の先端に接地短絡器具を取り付けて、間接活線工法によりカットアウト装置の負荷装置側を接地することができる。また、接地短絡器具の端子接続部を導通用部品の導通端子部に接続不能にして、カットアウト装置に取り付けた接地用部品の接地用端子部のみに接続を許可することができる。したがって、カットアウト装置の接地作業を安全に行うことができる。
【発明を実施するための最良の形態】
【００２６】
以下、本発明の最良の実施形態を図面に基づいて説明する。図１〜図３は本発明に係る接地短絡器具および接地用部品の一実施形態を適用するカットアウト装置の一例を示す図であり、図４〜図９がその一実施形態の接地短絡器具および接地用部品を示す図である。
【００２７】
まず、カットアウト装置を説明する。図１および図２において、カットアウト装置１０は、商用電源からの配電線を架設する電柱の腕金アームなどに取り付ける取付金具１０ａと、一面側が開放されている箱型に成形されてこの取付金具１０ａを底側外面にネジ止め固定された磁器製の本体部１１と、この本体部１１の開放面を閉塞可能な蓋形状に成形されている磁器製の蓋体部（導通部）１２と、を備えている。
【００２８】
本体部１１は、商用電源で発電した電力を各負荷装置に供給する配電線間に介装するように取付金具１０ａにより電柱の変圧器の近傍に設置されており、その商用電源の配電線から分岐させた電線を接続する電源接続部１３と、負荷装置の前段に設置されている変圧器からの電線を接続する負荷接続部１４と、を備えている。
【００２９】
蓋体部１２は、本体部１１の電源接続部１３および負荷接続部１４に導通刃１５、１６を導通接触させて電力供給を確保するヒューズ筒１７を着脱可能に設計されており、このヒューズ筒１７は、電源接続部１３および負荷接続部１４に接続する導通刃１５、１６の間をヒューズ１８により導通させている。
【００３０】
ヒューズ筒１７は、図３にも図示するように、筒形状本体１７ａの周面に導通刃１５、１６が立設されており、この筒形状本体１７ａの先端部にはヘッド１７ｂが取り付けられている。このヘッド１７ｂは、筒形状本体１７ａの延在方向に進退して全長を伸縮可能に内装されているとともに、その伸長方向に不図示のスプリングなどの付勢手段により付勢されている。
【００３１】
ヒューズ１８は、ヒューズ筒１７の筒形状本体１７ａ内に差し込む不図示の導体棒の先端に接続されている。このヒューズ１８は、導通刃１５側にはその導体棒後端の摘まみ部１８ａが導通接触して電気的に接続される一方、導通刃１６にはその導体棒先端から筒形状本体１７ａの外面に引き出されてその導通刃１６に導通接触している導通片１８ｂに電気的に接続されることにより、導通刃１５、１６（接続部１３、１４）の間を導通接続している。
【００３２】
また、この箱型のカットアウト装置１０は、本体部１１の開放面の一側辺側に配設された回動軸１１ａにより蓋体部１２の一側辺側を回動自在に連結軸支しており、この本体部１１と蓋体部１２は、接続部１３、１４に導通刃１５、１６を挟み込ませて接続することにより、本体部１１が蓋体部１２により閉止されている状態を維持することができるとともに、蓋体部１２の表側外面の他辺側には、引っ掛け孔１２ａが貫通するリブ形状部１２ｂが立設されている。
【００３３】
これにより、カットアウト装置１０は、一般の人が触れないように電柱などの高所に設置する必要があるが、接地短絡などの作業を行う際には、後述する絶縁操作棒の先端に取り付けた不図示のフックなどを引っ掛け孔１２ａに引っ掛けて、引っ張ったり押し上げたりすることにより、蓋体部１２を本体部１１の開放面から離隔・接近させるように回動させて開閉することができる。
【００３４】
また、このカットアウト装置１０は、本体部１１の開放面側を蓋体部１２が蓋をして閉じた状態にしたときには、本体部１１の接続部１３、１４に導通刃１５、１６を接続させてヒューズ筒１７を介して電源接続部１３と負荷接続部１４とを導通させることができる。一方、負荷装置側で短絡事故などが起こった場合には、ヒューズ筒１７のヒューズ１８が過電流により溶断することによって、ヘッド１７ｂが伸長方向に移動してその溶断したヒューズ１８を導通片１８ｂから離隔させることにより、電源接続部１３と負荷接続部１４との間の導通を遮断して商用電源側に短絡事故などの影響が波及してしまうことを防止することができる。
【００３５】
なお、図中の１０ｂは、負荷接続部１４に一端部を導通接続させているバリスタ（ＺｎＯ２）素子であり、１０ｃは、取付金具１０ａに導通するとともにそのバリスタ素子１０ｂの他端部の端子との間にエアーギャップを形成する対向電極プレートである。これにより、カットアウト装置１０は、商用電源からの配電線に落雷等があった場合には、バリスタ素子１０ｂと対向電極プレート１０ｃとの間のエアーギャップに放電を発生させて落雷を地面に逃がすとともに、その放電電圧をバリスタ素子１０ｂにより高く維持して商用電源からの電力により続流が生じてしまうことを防止している。
【００３６】
次に、本発明の実施形態を説明する。図４において、蓋体ダミー２２は、図１１に示す従来技術と同様に、本体部１１側の負荷接続部１４に接続する導通刃２６と、その本体部１１側に設けられている差込孔１９に差し込む絶縁材料からなるダミー刃２８と、を備えている。この蓋体ダミー２２は、本体部１１の蓋をするように、導通刃２６を負荷接続部１４に接続するとともに、ダミー刃２８を差込孔１９に差し込むことにより、その本体部１１に取り付けることができ、電源接続部１３からは遮断しつつ負荷接続部１４と導通刃２６の接続状態を維持することができる。
【００３７】
この蓋体ダミー２２の外面には、導通刃２６に導通して負荷接続部１４を介する負荷装置側への電気的な接続を実現する、金属等の導電性材料よりなる端子２１が配置されており、この端子２１には、後述する接地短絡器具３０の端子接続部３２の雄ネジ３２ａを接続可能な雌ネジ２１ａが刻設されている。すなわち、蓋体ダミー２２は、図１４に示す課電端子（導通用部品）１３２の導通端子部としての端子１３２ａ（雄ネジ）を接続不能に設計された端子２１、言い換えると、接地短絡器具３０の端子接続部３２（雄ネジ）のみを接続可能に設計された接地用端子部としての端子２１（雌ネジ）が外面に配置された非導通部の接地用部品を構成している。ここで、この端子２１は、接地短絡器具３０の端子接続部３２を収装可能に有底の円筒形状に形成された収装部２１ｂの底面に雌ネジ２１ａが刻設されている。
【００３８】
これにより、蓋体ダミー２２の端子２１には、接続棒３１の端子接続部３２を収装部２１ｂ内に収装しつつ相対回転させることによって、その端子２１の雌ネジ２１ａに端子接続部３２の雄ネジ３２ａを螺合させて取り付けることができ、所謂、事故点探査などの作業を行う際に使用する課電端子１３２の端子１３２ａ（雄ネジ）と共通になることを回避することができる。したがって、接地短絡器具３０の端子接続部３２を課電端子１３２に接続してしまって、カットアウト装置１０の商用電源側を接地短絡させてしまう恐れをなくすことができる。
【００３９】
接地短絡器具３０は、図５に示すように、図１１に示す従来技術と概略同様に、把持可能に円筒形状に形成された接続棒３１と、この接続棒３１の先端部に固設されて蓋体ダミー２２の端子２１に接続する端子接続部３２と、接続棒３１の後端部に固設されて後述する絶縁操作棒４０の先端部を取り付けることのできるジョイント（取付部）３３と、地面に埋設された接地導体に接続するクリップ（接地部）３４と、これら端子接続部３２およびクリップ３４を導通接続するケーブル３５と、電柱の腕金アームなどに引っ掛けておくことのできるフック３８と、これらケーブル３５およびフック３８を連結する紐３９と、を備えている。
【００４０】
接続棒３１は、カットアウト装置１０が電柱等に架設されている複数本の電線に対応するように複数設置されているために、複数（図中には３組の場合を図示）準備されており、クリップ３４からのケーブル３５を３本に分岐したケーブル３５ａ〜３５ｃ毎に端子接続部３２が導通接続されて先端部に配設されている。
【００４１】
この接続棒３１は、先端部の端子接続部３２に導通接続されたケーブル３５ａ〜３５ｃを内装して把持することができるように絶縁材料、例えば、硬質の樹脂材料を円筒形状に成形して作製されており、そのケーブル３５ａ〜３５ｃは、先端部の端子接続部３２から後端側のジョイント３３手前まで内装されて、そのジョイント３３の近傍に開口する開口部から外部に引き出されている。
【００４２】
端子接続部３２は、蓋体ダミー２２の端子２１の円筒形状の収装部２１ｂ内に収装可能に短尺な円柱形状に形成されており、その先端側端面にはその端子２１の雌ネジ２１ａに螺合させる雄ネジ３２ａが立設されている。この端子接続部３２は、クリップ３４およびケーブル３５ａ〜３５ｃを介して接地短絡可能に金属等の導電材料により作製されている。
【００４３】
ジョイント３３は、接続棒３１の後端面側が開口する有底の円筒形状に形成されており、その接続棒３１の基端部側延長方向から絶縁操作棒４０の先端部を差し込んで取り付けることができる。また、このジョイント３３の周面部には、絶縁操作棒４０側に向かって切り欠かれた第１切欠部３３ａと、この第１切欠部３３ａに連続して直交方向に屈曲する第２切欠部３３ｂとが一対形成されており、後述する絶縁操作棒４０のピン４１をその第１切欠部３３ａから第２切欠部３３ｂ内の奥まで進入させて引っ掛けることにより引抜不能（脱落不能）に取り付けることができる。
【００４４】
すなわち、接続棒３１は、端子接続部３２とジョイント３３との間を硬質の樹脂材料などにより連結して絶縁操作棒４０（ジョイント３３）に対する蓋体ダミー２２の姿勢（に対する端子接続部３２の姿勢）を固定することができる。
【００４５】
絶縁操作棒４０は、図６に示すように、ジョイント３３の切欠部３３ａ、３３ｂ内に進入させて引っ掛け係合させるピン４１と、滑り難い材質の取替え可能な滑り止が施されて作業員が把持する基端部側の把持部４２と、中間部分に取り付けられている傘カバー４３、４４と、を備えており、全体をプラスチックなどの絶縁材料で作製されて絶縁性が確保されている。
【００４６】
ピン４１は、絶縁操作棒４０の先端部側面に一対立設されており、互いに反対側で突起形状に固定されることにより、接続棒３１のジョイント３３の２箇所の切欠部３３ａ、３３ｂ内に進入させて係合さることができる。傘カバー４３、４４は、中間部分における先端側と基端側の２箇所に配設されており、先端側の傘カバー４３が接続棒３１側からの水分を滴下させるとともに、基端側の傘カバー４４が安全に作業を行い得る限界位置を示して、作業する際の安全を確保している。
【００４７】
これにより、接地短絡器具３０は、接続棒３１の端子接続部３２に蓋体ダミー２２の端子２１を取り付けるとともに、その接続棒３１のジョイント３３に絶縁操作棒４０の先端を取り付けることによって、図７に示すように、高所に設置されているカットアウト装置１０の蓋体部１２を回動させて開放する状態にした本体部１１に、絶縁操作棒４０先端部の接続棒３１に取り付けた蓋体ダミー２２を安全に取り付けることができる。したがって、変圧器などのメンテナンス等を行う際には、カットアウト装置１０の本体部１１側の負荷接続部１４に蓋体ダミー２２の導通刃２６を安全に接続して、端子２１やケーブル３５やクリップ３４を介する接地状態にすることができる。
【００４８】
また、この接地短絡器具３０は、図８に示すように、円筒型の本体部５１を蓋体部（導通部）５２により閉じる構造に設計されているカットアウト装置５０に対しても、従来の接地短絡器具１１０と同様に、蓋体部５２を外して、ヒューズ筒５７を介する電源接続部５３と負荷接続部５４との導通を解消した後に、接続棒３１をその本体部５１内に差し込んでセットするだけで、負荷接続部５４の受端子５４ａにその端子接続部３２の導通肩部を圧接させて導通接続させることができ、その負荷装置側をクリップ３４やケーブル３５を介して接地して安全を確保することができる。
【００４９】
同時に、この円筒型のカットアウト装置５０でも、所謂、事故点探査などの作業を行う際に使用する課電端子（導通用部品）１７２の導通端子部としての端子１７２ａ（雄ネジ）を、接続棒３１の端子接続部３２の雄ネジ３２ａに螺合させて取り付けてしまうことがない。したがって、接地短絡器具３０の端子接続部３２を課電端子１７２に接続してしまって、カットアウト装置５０の商用電源側を接地短絡させてしまう恐れをなくすことができる。
【００５０】
このとき、接地短絡器具３０は、ケーブル３５のケーブル３５ａ〜３５ｃへの分岐箇所からの紐３９に連結されたフック３８を、カットアウト装置１０、５０の設置されている電柱の腕金アームなどにヤットコなどのような遠隔操作道具を利用して、引っ掛けておくことにより不用意に接続棒３１が落下してしまうことを防止することができる。
【００５１】
ここで、絶縁操作棒４０は、先端部の突起４５を内蔵スプリングの弾性力に抗して沈ませつつ、ピン４１の双方をジョイント３３の切欠部３３ａ、３３ｂ内に進入させて回転させた後に、その進入させる力を解放すると、突起４５がスプリングの弾性力により突出してジョイント３３を押し出すことにより、その切欠部３３ｂから屈曲する係合溝３３ｃ内にピン４１を離脱不能に係合させることができる。また、この絶縁操作棒４０は、中心部に刻設するネジ形状に螺合するグリップ４６を回転させてジョイント３３側に寄せることにより、ピン４１が係合溝３３ｃ内から離脱して回転しないようにロックすることができ、ジョイント３３に対して相対回転して外れてしまうことを信頼性高く防止することができる。
【００５２】
また、カットアウト装置１０、５０の設置されている電柱の腕金アームなどには、図９に示す仮置きクリート（支持装置）６０を設置して接地短絡器具３０の接続棒３１を仮置きすることができる。
【００５３】
この仮置きクリート６０は、側面から見た形状がコの字に形成された支持本体部６１と、この支持本体部６１の上部から側方に延長されている延長面部６２と、この延長面部６２と同一側方で下方に位置するように支持本体部６１に固設されて接地短絡器具３０の接続棒３１を載置可能な複数の載置部６３と、支持本体部６１の下部に配設されて絶縁操作棒４０の先端部を取り付けることのできるジョイント６４と、を備えている。
【００５４】
支持本体部６１は、電柱の腕金アームの側面に対面して反対側に延長面部６２および載置部６３が固設されている側板６１ａと、この側板６１ａの上部２箇所に固設されてその腕金アームの上面方向に延在した後に先端側が下方に突出する一対の棒状の上板６１ｂと、電柱の腕金アームの下面に対面してジョイント６４を上下動可能に取り付けられている下板６１ｃとからなる。この支持本体部６１は、電柱の腕金アームをコの字内に位置させるように上板６１ａと下板６１ｃの間に挿入して、その一対の上板６１ｂの先端部６１ｄを引っ掛けることにより、電柱の腕金アームに取り付けることができる。
【００５５】
延長面部６２には、支持本体部６１から離隔する側の３箇所をＵ字形状に切り欠いた切欠部６２ａが形成されており、この延長面部６２の切欠部６２ａ内には、接地短絡器具３０の立てた状態の接続棒３１の端子接続部３２近傍を収装・支持させることができる。
【００５６】
載置部６３は、Ｕ字形状に形成されて、支持本体部６１から離隔する側が延長面部６２の切欠部６２ａと同一位置で開口するように、その支持本体部６１の側面に３つ固設されており、この載置部６３は、接地短絡器具３０の立てた状態の接続棒３１の鍔形状部３１ａとフランジ形状部３１ｂの間に差し込まれて、その接続棒３１を載置・支持することができる。
【００５７】
ジョイント６４は、接地短絡器具３０の接続棒３１のジョイント３３と同様に、切欠部３３ａ、３３ｂや係合溝３３ｃが形成されてボルト６４ａの下部に固設されており、このボルト６４ａは、支持本体部６１の下板６１ｃに固設されたナット６１ｅに上下方向に移動可能に螺合している。このボルト６４ａの先端には、支持本体部６１のコの字内（ナット６１ｅの上部）で上下動する押さえ板６４ｂが回転自在に取り付けられている。
【００５８】
これにより、仮置きクリート６０は、ジョイント６４に絶縁操作棒４０の先端部を取り付けることによって、接地短絡器具３０の接続棒３１の３つをセットした状態で、カットアウト装置１０、５０が設置されている電柱の腕金アームに取り付けることができる。この後に、その接地短絡器具３０の接続棒３１のジョイント３３に絶縁操作棒４０の先端部を順次に取り付けて、そのカットアウト装置１０、５０を接地させる作業を容易に行うことができる。
【００５９】
このように本実施形態においては、絶縁操作棒４０の先端部に接地短絡器具３０の接続棒３１を安定した姿勢で取り付けて、その接続棒３１の先端の端子接続部３２に取り付けた蓋体ダミー２２をカットアウト装置１０の本体部１１に容易にセットすることができ、あるいは、接続棒３１を直接カットアウト装置５０の本体部５１内にセットすることができる。これにより、カットアウト装置１０、５０の負荷接続部１４、５４を接地短絡器具３０のケーブル３５などを介して接地する作業を容易かつ安全に行うことができる。したがって、接地短絡器具３０の接続棒３１を手で取り扱うことなく、カットアウト装置１０、５０の接地作業を所謂、間接活線工法により安全に行うことができる。
【００６０】
このとき、接地短絡器具３０の接続棒３１の端子接続部３２には、蓋体ダミー２２の端子２１のみを接続することができ、所謂、事故点探査などの作業を行う際に使用する課電端子１３２、１７２の端子１３２ａ、１７２ａを螺合させて接続してしまうことがない。したがって、カットアウト装置１０、５０の電源接続部１３、５３側を不注意で接地短絡させてしまう恐れをなくすことができ、カットアウト装置１０、５０を安全に接地することができる。
【産業上の利用可能性】
【００６１】
これまで本発明の一実施形態について説明したが、本発明は上述の実施形態に限定されず、その技術的思想の範囲内において種々異なる形態にて実施されてよいことは言うまでもない。
【図面の簡単な説明】
【００６２】
【図１】本発明に係る接地短絡器具および接地用部品の一実施形態を適用する箱型のカットアウト装置の一例を示す図であり、その概略全体構成を示す一部断面側面図である。
【図２】そのカットアウト装置の蓋体を示す平面図である。
【図３】そのカットアウト装置のヒューズ筒の全体構成を示す図であり、（ａ）はその平面図、（ｂ）はその側面図である。
【図４】その接地用部品の一実施形態の全体構成を示す図であり、（ａ）はその平面図、（ｂ）、（ｃ）は異なる方向からの側面図である。
【図５】その接地短絡器具の一実施形態の全体構成を示す正面図である。
【図６】その接地短絡器具を取り付ける絶縁棒の一例の全体構成を示す正面図である。
【図７】その接地短絡器具による接地用部品のカットアウト装置への取り付けを説明する一部断面状態図である。
【図８】その接地短絡器具の一実施形態を適用する円筒型のカットアウト装置の一例を示す図であり、その接地短絡器具のカットアウト装置への取り付けを説明する一部断面状態図である。
【図９】その接地短絡器具の一実施形態を支持させる装置の一例を示す図であり、（ａ）はその平面図、（ｂ）はその側面図である。
【図１０】その箱型のカットアウト装置を説明する一部切欠側面図である。
【図１１】その箱型のカットアウト装置にセットする接地用部品の従来技術の全体構成を示す図であり、（ａ）はその平面図、（ｂ）はその側面図である。
【図１２】その接地短絡器具の従来技術の全体構成を示す正面図である。
【図１３】その従来技術の接地短絡器具による接地用部品の箱型のカットアウト装置への取り付けを説明する側面状態図である。
【図１４】その箱型のカットアウト装置に適用する事故点探査を説明する図であり、（ａ）はその探査に用いるアタッチメントによる課電端子のカットアウト装置へのセットを説明する側面状態図、（ｂ）はその課電端子の全体構成を示す平面図である。
【図１５】その円筒型のカットアウト装置を説明する一部断面側面図である。
【図１６】その従来技術の接地短絡器具の円筒型のカットアウト装置への取り付けを説明する一部断面側面図である。
【図１７】その円筒型のカットアウト装置に適用する事故点探査を説明する図であり、（ａ）はその探査に用いるアタッチメントによる課電端子のカットアウト装置へのセットを説明する一部断面側面図、（ｂ）はその課電端子の全体構成を示す平面図である。
【符号の説明】
【００６３】
１０、５０    カットアウト装置
１１、５１    本体部
１１ａ    回動軸
１２、５２    蓋体部
１３、５３    電源接続部
１４、５４    負荷接続部
１５、１６、２６    導通刃
１７    ヒューズ筒
１８    ヒューズ
１９    差込孔
２１    端子
２１ａ    雌ネジ
２１ｂ    収装部
２２    蓋体ダミー
２８    ダミー刃
３０    接地短絡器具
３１    接続棒
３２    端子接続部
３２ａ    雄ネジ
３３    ジョイント
３３ａ、３３ｂ    切欠部
３３ｃ    係合溝
３４    クリップ
３５、３５ａ〜３５ｃ    ケーブル
３８    フック
３９    紐
４０    絶縁操作棒
４１    ピン
４２    把持部
４５    突起
４６    グリップ
５０    カットアウト装置
５３ａ    差込端子
５４ａ    受端子
５７    ヒューズ筒
６０    クリート
６１    支持本体部
６１ｅ    ナット
６２    延長面部
６２ａ    切欠部
６３    載置部
６４    ジョイント
６４ａ    ボルト
６４ｂ    押さえ板
１３０    アタッチメント
１３１    端子接続部
１３２、１７２    課電端子
１３２ａ、１７２ａ    端子
１３５、１３６    導通刃
【図１】
2006114231.tif 000003
【図２】
2006114231.tif 000004
【図３】
2006114231.tif 000005
【図４】
2006114231.tif 000006
【図５】
2006114231.tif 000007
【図６】
2006114231.tif 000008
【図７】
2006114231.tif 000009
【図８】
2006114231.tif 000010
【図９】
2006114231.tif 000011
【図１０】
2006114231.tif 000012
【図１１】
2006114231.tif 000013
【図１２】
2006114231.tif 000014
【図１３】
2006114231.tif 000015
【図１４】
2006114231.tif 000016
【図１５】
2006114231.tif 000017
【図１６】
2006114231.tif 000018
【図１７】
2006114231.tif 000019